(57)【要約】      （修正有）【課題】簡単な一回の操作で発煙薬を発煙させることができ、また、水中又は水上等の水域であっても簡単な一回の操作で発煙機能を発揮させることのできる発煙筒を提供する。【解決手段】開口部２を有する有底筒状の容器本体３と、容器本体３の内部に収納された発煙薬４と、発煙薬４を発煙させる速火線５と、開口部２を覆蓋する外蓋６とを具備する発煙筒１において、容器本体３内における速火線５に着火可能な位置に固定された点火薬１６と、外蓋６の内面に結合され、外蓋６を開けることにより外蓋６に牽引されるとともに点火薬１６を擦過することにより点火薬１６を発火させる摩擦線１７とを有し、容器本体３は、開口部２を覆蓋する外蓋６に覆われる容器本体３の外側側面に、Ｏリング１１Ａを備える。【選択図】図１
2014126230.tif 000002
【特許請求の範囲】
【請求項１】
開口部を有する有底筒状の容器本体と、容器本体の内部に収納された発煙薬と、前記発煙薬を発煙させる速火線と、前記開口部を覆蓋する外蓋とを具備する発煙筒において、
容器本体内における速火線に着火可能な位置に固定された点火薬と、外蓋の内面に結合され、外蓋を開けることにより外蓋に牽引されるとともに点火薬を擦過することにより点火薬を発火させる摩擦線とを有する発煙筒。
【請求項２】
前記容器本体は、前記開口部を覆蓋する外蓋に覆われる容器本体の外周面に、Ｏリングを備える前記請求項１に記載の発煙筒。
【請求項３】
前記摩擦線が長尺の芯線とその表面に設けられた摺り付け薬とを備え、前記摩擦線における前記摺り付け薬が点火薬に接触するように前記摩擦線が前記点火薬を貫通して成る請求項１または２に記載の発煙筒。
【請求項４】
前記容器本体は、複数個のＯリングを含む請求項２または３に記載の発煙筒。
【発明の詳細な説明】
【技術分野】
【０００１】
この発明は発煙筒に関し、さらに詳しくは、簡単な操作で確実に発煙させることのできる発煙筒、更には簡単な操作で確実に発煙させることができ、しかも長期間の保存によっても発煙機能を失うことがなく、遭難地点が水域であっても確実に発煙機能を実現することのできる発煙筒に関する。
【背景技術】
【０００２】
発煙筒は、異常発生報知手段及び遭難救助用信号手段等として用いられている。特にダイバーやサーファーなどのマリンスポーツの愛好者が漂流事故に遭ったとき、及び海難事故若しくは航空機墜落事故で遭難者が海、河、湖等の水域で救助を求めるときには、人命救助のために前記愛好者又は遭難者の早期発見が要請されるので、前記水域において愛好者又は遭難者が迅速かつ正確に操作を行うことのできる発煙筒が必要となる。
【０００３】
このような状況下で用いられる発煙筒は、火薬の燃焼によって煙を視覚信号として発生させるものであり、容器本体内部に、発煙薬のほか、発煙薬を加熱するための加熱薬及び点火薬などの火薬を含んでいるのが一般的であり、点火の際には火薬と他の物とを摩擦させる必要がある。
【０００４】
従来、発煙筒を動作させるためには、容器本体と外蓋とを取り外したうえで、点火を開始させるための摩擦動作を別途行う必要があった。例えば、特許文献１には「このように構成された発煙筒１は、次のようにして使用する。すなわち、外蓋４を外し、点火星１０を使用する場合、すり板等によって点火星１０に点火すると、速火線１１を介して着火薬１３が着火する。」と記載されている（００４１欄）。
【０００５】
また、特許文献２には「更に、発火薬の周囲を覆って装着された着脱自在なキャップと、キャップに設けた発炎筒用摺りつけ薬と、を備え、発炎筒として使用する際には、本体を前記本体ケースから抜き出して、キャップの発炎筒用摺りつけ薬と前記本体の発火薬を摩擦接触させて前記固形消火剤に点火する。」と記載されている（０００９欄）。
特許文献１及び特許文献２に記載された従来の発煙筒では、着火操作として、本体と外蓋とを外した後に、それに加えて火薬と他の部品とを摩擦させる操作が必要であった。例えば、特許文献１に記載された発煙筒においては、プルトップ方式の外蓋４を筒体２から取り外す操作（特許文献１の段落番号００３５、００４１参照）、次いですり板等によって点火星１０に点火する操作（特許文献１の段落番号００４１参照）が必要である。
【０００６】
遭難者は通常の場合、遭難という非常事態に遭遇することにより気が動転していることがあり、そのように気が動転しているときには、平生は簡単な操作であるプルトップ方式の外蓋の開放操作やすり板等で点火星を発火させる操作を的確に行うことができないものである。また、遭難地点が水域であると、遭難者は例えば水しぶき、波濤等を受ける状況下で前記操作をすることを余儀なくされているから、例えば水しぶきを浴びるとすり板が湿ってしまったり、よしんば点火星に着火することができても水しぶきを浴びることにより点火星が消火してしまったりして、確実に速火線又は着火薬に火をつけることができない。したがって、特許文献１に開示された発煙筒は水域で使用する場合には確実に発煙筒を作動させることができないという問題点がある。
【０００７】
特許文献２に開示された発煙筒は、本体ケース１４を外す操作、その後にキャップ２６を外す操作、発煙筒擦り付け薬２８と発火薬２２とを擦り合わせるために、再び本体１２に本体ケース１４を被せるように装着する操作をすることにより、発火薬２２の発火を実現している。
【０００８】
特許文献１に開示される発煙筒と同様に、遭難という非常事態に遭遇することにより気が動転している遭難者においては、複数の操作を手順よく実施するのは困難であり、まして本体ケース１４に本体１２を嵌め込む操作を一回で済ませることも困難である。
【０００９】
また、この特許文献２における発煙筒においては、固形消火剤２０の燃焼による消火用のエアロゾル４４を噴出させることができるように貫通孔として形成されたノズル部３０を有するので、水域でこの発煙筒を使用する場合には、前記ノズル部３０から発煙筒内部に水が浸入することにより消火用擦り付け薬３４、発火薬２２、及び固形消火剤２０のいずれか又は全てが湿ってしまって、その結果として発煙筒が確実に機能しない恐れが多分にある。
【００１０】
また、従来の発煙筒では、容器本体と外蓋との間の密封性が完全ではないという課題もある。例えば、１）陸上で長期間保存した場合、２）マリンスポーツの愛好者が水中で携帯した場合、３）雨天において携帯した場合、４）水中に誤って落とした場合、等の場合には、大気中の水分或いはしみ込んだ水分を火薬が吸収してしまったり、容器本体内部に水が侵入してしまったりすることによって、容器本体内部の火薬が失活してしまい、実際に発煙筒を使用する際に発煙動作不能に陥るという問題もある。
【先行技術文献】
【特許文献】
【００１１】
【特許文献１】特許第４６８１２８２号公報
【特許文献２】特開２０１１−１６７４４１号公報
【発明の概要】
【発明が解決しようとする課題】
【００１２】
この発明は、このような問題を解消し、一回の単純な動作だけで発煙筒内の発煙薬から発煙を起こすことができるよう操作性を向上させた発煙筒を提供することをその課題とする。
【００１３】
また、この発明は、このような問題を解消し、簡単な一回の操作で発煙薬を発煙させることができ、また、水中又は水上等の水域であっても簡単な一回の操作で発煙機能を発揮させることのできる発煙筒を提供することをその課題とする。
【課題を解決するための手段】
【００１４】
前記課題を解決するための手段は、
（１）  開口部を有する有底筒状の容器本体と、容器本体の内部に収納された発煙薬と、前記発煙薬を発煙させる速火線と、前記開口部を覆蓋する外蓋とを具備する発煙筒において、
容器本体内における速火線に着火可能な位置に固定された点火薬と、外蓋の内面に結合され、外蓋を開けることにより外蓋に牽引されるとともに点火薬を擦過することにより点火薬を発火させる摩擦線とを有する発煙筒であり、
（２）  前記容器本体は、前記開口部を覆蓋する外蓋に覆われる容器本体の外周面に、Oリングを備える前記（１）に記載の発煙筒であり、
（３）  前記摩擦線が長尺の芯線とその表面に設けられた摺り付け薬とを備え、前記摩擦線における前記摺り付け薬が点火薬に接触するように前記摩擦線が前記点火薬を貫通して成る前記（１）または（２）に記載の発煙筒であり、
（４）  前記容器本体は、複数個のＯリングを含む前記（２）または（３）に記載の発煙筒である。
【発明の効果】
【００１５】
この発明によれば、容器本体内における速火線に着火可能な位置に固定された点火薬と、外蓋の内面に結合された摩擦線とを有することから、外蓋を容器本体から外すという一回の操作だけで、摩擦線が移動し、点火薬と摩擦が生じて発火することができる。したがって、この発明によると、一回の動作だけで簡単に発煙を生じさせることのできる発煙筒を提供することができる。
【００１６】
また、容器本体の外側面であって、前記容器本体に装着された外蓋に覆われる部位にＯリングを設けることで、容器本体が高い水密性を有する。したがって、この発明によると、長期間にわたる保存によっても、また水域で操作しても確実に発煙機能を実現することができ、しかも一回の動作で発煙状態を実現することのできる発煙筒を提供することができる。
【図面の簡単な説明】
【００１７】
【図１】図１は、この発明の発煙筒の一例を示す縦断面図である。
【図２】図２は、摩擦線の一例を示す断面説明図である。
【図３】図３は、図１の発煙筒の外蓋を筒体本体から引き抜いた状態を示す縦断面図である。
【発明を実施するための形態】
【００１８】
図１に示されるように、この発明の一例である発煙筒１は、開口部２を有する有底筒状の容器本体３と、容器本体３の内部に収納された発煙薬４と、前記発煙薬４を発煙させる速火線５と、前記開口部２を覆蓋する外蓋６とを有する。
【００１９】
前記容器本体３は、前記容器本体３の軸線方向における一端を開口する開口部２と、底面７と、底面７の縁辺から開口部２に向かって形成される外側面部８とを有する有底の筒状体である。
【００２０】
容器本体３は、筒状体である限り様々の形状を有することができ、例えば有底の円筒形や有底の角筒形を有することができる。様々な形状を有することができる容器本体の中でも好適な形状は円筒形である。容器本体の形状はこの発煙筒を使用する状況、発煙筒を保管する状況等に応じて適宜に設計変更することができる。
【００２１】
容器本体３の素材としては、耐水性を有し、かつ使用状況下で適度の強度を有する限り様々の素材を採用することができ、通常は金属を挙げることができ、軽量化を達成するとともにコスト低減を図るのであれば、合成樹脂若しくは厚紙等を採用することもできる。
【００２２】
容器本体３の開口部２には、この開口部２を閉塞するように外蓋６が装着される。
【００２３】
外蓋６は容器本体３の開口部２を液密に封じることができる限り様々の形状を採用することができる。容器本体３が有底円筒状体であるときには、好適な外蓋６は、容器本体３の開口部２の近傍の容器本体３の外側面部８を覆う周側面９と開口部２に対向する天井面１０とを有する。
【００２４】
容器本体３の開口部を覆蓋するように容器本体３に外蓋６を装着した場合に、容器本体３の外側面部８における、外蓋６の周側面９に覆われる周側面９には、この容器本体３の軸線を中心とする円を描くように２本の環状の凹部１１が、形成される。２本の環状の凹部１１は互いに平行に容器本体３の外側面部８に形成される。
【００２５】
この凹部１１には、環状のＯ−リング１１Ａが装着される。
【００２６】
なお、このＯ−リング１１Ａの材質は、弾性を有することにより容器本体３の外側面部８と外蓋６の周側面９とを液密にシールすることができる限り、様々の弾性部材を採用することができる。
【００２７】
この外蓋６の周側面９の軸線方向長さは、一つ又は複数のＯ−リング１１Ａを前記内側面９で覆蓋するに十分な長さが確保されている限り、適宜にその寸法が決定される。
【００２８】
また、外蓋６と容器本体３との装着時における液密性を確保するためには、Ｏ−リングの装着は容器本体３の外側面部の表面に限られるものではなく、外蓋６の周側面であっても良い。
【００２９】
容器本体３の内部には、３個の発煙薬４が積み重ねるようにして配置される。３個の発煙薬４は中心部を空洞にしたドーナツ状又は円環盤状体に形成されている。尚、この発煙薬４の形状については、発煙筒の内部空間の形状、発煙筒の大きさ等に応じて適宜に決定することができる。
【００３０】
発煙薬４は、加熱により燃焼することなく染料等が蒸発し、その蒸気が発煙筒外に噴出したときに外気によって冷却されて液滴化し、白色又は着色した煙を発出することができるように調製される限り特に制限がない。発煙薬４の一例を表１に示す。
【００３１】
【表１】
2014126230.tif 000003
【００３２】
赤色、緑色、黄色及び紫色等の発煙を生じさせる染料としては、アゾ染料、アントラキノン染料、インジゴイド染料、硫化染料、トリフェニルメタン染料、ピラゾロン染料、スチルベン染料、ジフェニルメタン染料、キサンテン染料、アリザリン染料、アクリジン染料、キノンイミン染料（アジン染料、オキサジン染料、チアジン染料）、チアゾール染料、メチン染料、ニトロ染料、ニトロソ染料などの多種多様のものから適宜に選択することができる。代表例として、赤色染料としてＮ−メチルアミノアントラキノン等、黄色染料としてソルベントイエロー等を挙げることができる。特許文献１の段落番号００４６欄に記載された発煙薬（固形パラフィン５５質量％及び重炭酸ナトリウム４５質量％）もこの発明の発煙筒における発煙薬として使用することができる。
【００３３】
容器本体３の内部に３個の発煙薬４を積み重ねるようにして配置された３個の発煙薬４の積み重ね体の中心部に形成された空間には、速火線５が配置される。なお、図１において、１２で示すのは速燃薬であり、１３で示すのは前記速火線５を立設してこれを支持する支持部材であり、１４で示すのは固定板である。速火線５は、支持部材１３に一端が支持され、支持部材１３の他端近傍が固定板１４に支持固定され、速火線５の先端部５Ａが前記固定板１４から突出している。
【００３４】
速火線は、燃焼速度が２ｃｍ／秒以上であり、速火線自体の燃焼により発煙薬を加熱させることができればよく、市販品として「速火線」の商品名で販売されている火薬類を使用することができる。例えば、速火線として、木綿糸や麻糸の芯線に黒色火薬が塗布されたものを使用することができる。黒色火薬の一例を以下の表２に示す。
【００３５】
【表２】
2014126230.tif 000004
【００３６】
容器本体３の開口部２から所定の内部には、容器本体３の軸線方向に対して直交するように配置された噴煙板１５が設けられる。
【００３７】
この噴煙板１５は、安定した発煙を継続して発生させるという目的を達成するために、発煙薬の種類に応じて適宜に設計変更することのできる数個の噴煙孔を有する。さらに、点火薬室を固定し、支持するという機能を有し、好ましくはアルミニウムによって形成される。この噴煙板１５の中心には装着開口部１５Ａが設けられる。
【００３８】
この装着開口部１５Ａには点火薬１６が充填される。点火薬１６は後述する摩擦線との摩擦により発火して速火線５を着火する。点火薬１６は、例えば塩素酸カリウム５５〜６５質量％、硝酸バリウム１０〜２０質量％、セラック１０〜１２質量％、木炭末７〜１０質量％、及びデキストリン５〜１０質量％の火薬組成物（但し、前記全成分の配合割合が１００質量％になる様に前記含有量範囲から配合量が選択される。）として形成することができる。この発明における点火薬は、前記火薬組成物に限られずに、発煙筒の技術分野、及び信号発煙筒の技術分野における点火薬も使用することができる。
【００３９】
前記装着開口部１５Ａに装着する点火薬１６の装着量は、発煙筒の規模及び発煙筒の使用状況等に応じて変わるので一概に決定することができないが、速火線５に着火することができる必要な量として適宜に決定することができる。
【００４０】
図２に示されるように、摩擦線１７は芯線１７Ａとこの芯線１７Ａの表面に形成された擦り薬層１７Ｂとで形成される。前記芯線１７Ａは、柔軟であり、容器本体３の開口部２から外蓋６を抜き取る動作によっても破断乃至切断しない程度の強度を有する部材であればよく、例えば、麻、木綿等の天然繊維で形成された撚り紐、金属細線、金属製の鎖等で形成することができる。擦り薬層１７Ｂは擦り薬を含有する被覆層又は例えば撚り紐等に含浸された含浸層として形成することができる。擦り薬は、例えば赤燐、ガラス粉及びデキストリンの混合物として形成することができ、それらの配合割合は点火薬との組合せで適宜に決定することができる。擦り薬の一例として赤燐５０質量％、ガラス粉３０質量％及びデキストリン２０質量％を挙げることができるが、このような配合に限定されるものではない。
【００４１】
この摩擦線は、この摩擦線が外蓋と共に移動することにより点火薬と摺接するように配置されていればよく、点火薬の発火を確実にすることを目的にするのであれば、図２に示されるように、摩擦線１７が点火薬１６を貫通し、しかも摩擦線１７における擦り薬層１７Ｂが点火薬１６に接触する状態となるように、配置されるのが好ましい。
【００４２】
摩擦線１７が点火薬１６を貫通する状態であっても、擦り薬層１７Ｂと点火薬１６との間に間隙が生じている場合には、摩擦線１７が点火薬１６内を移動しても点火薬１６が未発火となることが考えられるからである。
【００４３】
この摩擦線１７は、長尺であり、摩擦線１７の一端が外蓋６の内面例えば天井面１０に結合され、摩擦線１７の他端は、固定板１４と噴煙板１５と容器本体３の内周面とで画成される空間の適宜の位置に収められている。
【００４４】
次にこの発明の発煙筒の作用について説明する。
【００４５】
例えばこの発煙筒を所持する人が遭難して海上に浮遊しているとする。遭難者がこの発煙筒を例えば腰や胸に装着するとすれば、海上に浮遊する遭難者の腰や胸は水没しているので、遭難者に装着されている発煙筒は水面下にあり得る。
【００４６】
この発煙筒１が水面下にあっても、外蓋６と容器本体３とはＯリング１１Ａで液密にシールされているので、発煙筒１の内部に水が浸入することがない。
【００４７】
遭難者がこの発煙筒１を取り出し、水面上にこの発煙筒１を取り上げ、例えば左手で発煙筒１の容器本体３をグリップし、右手で外蓋６を掴んで外蓋６を容器本体３から引き離す。外蓋６が容器本体３から離れるように移動すると、外蓋６の天井面１０に結合されている摩擦線１７も外蓋６と共に移動する。摩擦線１７における擦り薬層１７Ｂと点火薬１６とが接触状態で摩擦線１７が点火薬１６を貫通していたので、摩擦線１７の移動により、擦り薬層１７Ｂが点火薬１６に摺接して点火薬１６が発火する。
【００４８】
点火薬１６が発火すると点火薬１６の近傍に配設されている速火線５の先端部５Ａが発火する。速火線５の先端部５Ａが着火すると速火線５の先端から末端へと着火が進行する。
【００４９】
速火線５の着火により発煙薬４に熱エネルギーが伝達されて発煙薬４中の成分が蒸発し、蒸発による膨張による蒸発物の圧力により固定板１４が破断し、又は固定板１４が吹き飛ばされ、蒸発物が容器本体３の開口部２を通って外部へ噴出する。開口部２から外部に噴出して蒸発物は大気により冷却されて煙となって空中を上昇していく。
【００５０】
発煙薬中に含まれる染料の種類に応じて空中を上昇する煙が着色され、赤の発煙、緑の発煙、黄色の発煙等が空中を上昇する。
【００５１】
したがって、この遭難者を救助するために遭難現場に到着する航空機又は船舶は、空中に立ち上がる発煙、あるいは着色された発煙を視認することにより、遭難者の所在位置を確実に認識することができ、迅速な救助活動を実施することができるようになる。
【符号の説明】
【００５２】
１          発煙筒
２          開口部
３          容器本体
４          発煙薬
５          速火線
５Ａ        先端部
６          外蓋
７          底面
８          外側面部
９          周側面
１０        天井面
１１        凹部
１１Ａ      Ｏリング
１２        速燃薬
１３        支持部材
１４        固定板
１５        噴煙板
１５Ａ      装着開口部
１６        点火薬
１７        摩擦線
１７Ａ      芯線
１７Ｂ      擦り薬層
【図１】
2014126230.tif 000005
【図２】
2014126230.tif 000006
【図３】
2014126230.tif 000007